【事件の表示】
　特願２０００−２８１２１９「ディスク記録装置」拒絶査定不服審判事件〔平成１４年　３月２９日出願公開、特開２００２−　９３０２３〕について、次のとおり審決する。
【結　論】
　本件審判の請求は、成り立たない。
【理　由】
１．手続の経緯・本願発明
　本願は、平成１２年９月１８日の出願であって、その請求項１〜５に係る発明は、平成１７年６月２２日付け手続補正によって補正された明細書の特許請求の範囲の請求項１〜５に記載されたとおりのものと認められるところ、そのうち請求項１に係る発明（以下、「本願発明」という。）は、次のとおりである。
「ディスク記録媒体が装着されたか否かを判別する第１判別手段、
　前記第１判別手段の判別結果が肯定的であるとき前記ディスク記録媒体の空き容量値を検出する検出手段、
　前記検出手段によって検出された空き容量値を半導体メモリに保存する保存手段、
　電源投入操作が行われたとき前記半導体メモリに保存された空き容量値が閾値を上回るか否かを判別する第２判別手段、
　前記第２判別手段の判別結果が肯定的であるとき取り込み操作に応答して所望信号を取り込む取り込み手段、
　前記取り込み手段によって取り込まれた所望信号を内部メモリに書き込む書き込み手段、および
　前記内部メモリに格納された所望信号を前記ディスク記録媒体に記録する記録手段を備える、ディスク記録装置。」
　
２．引用例
　これに対して、当審における、平成１７年５月１８日付けで通知した拒絶の理由に引用した、本願出願前の平成１２年３月３日に頒布された刊行物である特開２０００−６６９４７号公報（以下、「引用例」という。）には、図面とともに以下の技術事項が記載されている。
（ａ）「【０００１】【発明の属する技術分野】本発明は着脱可能な記憶媒体を用いたデータ記録装置及びその方法に関するものである。
【０００２】【従来の技術】従来、着脱可能な記憶媒体を用いたデータ記録装置においては、媒体の空き容量を調べて空き容量情報を得ることが行われる。そして、得られた空き容量情報の維持は、当該データ記録装置の電源のオン状態を継続することによりなされている。このため、データ記録装置の電源を落とす度に、記憶媒体の空き容量情報が失われてしまい、再度電源を投入する度に記憶媒体の空き容量を調べることが必要であった。」
（ｂ）「【００１１】図１は本実施形態による電子カメラの制御構成を示すブロック図である。本実施形態では、データ記録装置の一例として、被写体画像を電気信号に変換して画像データとし、これを着脱可能な記憶媒体もしくは内蔵される記憶媒体に記録する電子カメラを例にあげて説明する。
【００１２】図１において、１はレンズ、２はシャッター、３は撮像素子である。４は第１信号処理回路であり、撮像素子３より出力される画像信号に、各種の補正処理、クランプ処理等を行う。５はＡ／Ｄ変換器であり、第１信号処理回路４より出力される画像信号のアナログ−ディジタル変換を行う。６は第２信号処理回路であり、Ａ／Ｄ変換器５より出力されるディジタル画像データに対して圧縮等の処理を行う。
【００１３】７は画像データの少なくとも１枚分を一時的に記憶するためのＤＲＡＭである。８は画像データの少なくとも１枚分を記憶するためのＦＬＡＳＨメモリー等の電気的消去書き込み可能なＥＥＰＲＯＭである。
【００１４】１０は公知のＰＣＭＣＩＡ規格に準拠したＰＣカードと呼ばれるカード型デバイスであり、接続のために６８ｐｉｎのコネクタを有する。本装置においては主に、画像データの記録又は読み出しを行うためのハードディスク、ＦＬＡＳＨメモリ、ＳＲＡＭ，ＤＲＡＭ等の着脱可能なカード型記憶媒体を用いる。ただし、コネクタの形状が共通の規格化されたものになっているため、この他の種類のＰＣカード（たとえばモデム、ＳＣＳＩ．ＬＡＮ、サウンド用等のカード）を接続することも可能である。
【００１５】９はデバイス制御Ｉ／Ｆ部であり、デバイス１０とのデータの受け渡しを行う。１３はタイミング発生部であり、撮像素子３、Ａ／Ｄ変換器５に、各種タイミング信号を出力する。１４は、画像データを外部のコンピュータ等（図示せず）に伝送するための外部Ｉ／Ｆ部である。１１は装置全体の制御を行う全体制御部、１２は全体制御部１１内における各種データを記憶するためのＲＡＭ、１５は本装置の状態を表示する表示部である。なお、全体制御部１１、第２信号処理回路６、ＤＲＡＭ７、ＥＥＰＲＯＭ８、デバイス制御Ｉ／Ｆ部９、外部Ｉ／Ｆ部１４はそれぞれバス１６で接続されている。」
（ｃ）「【００２３】次に、本実施形態の電子カメラの初期動作について説明する。図４及び図５は本実施形態の電子カメラの初期動作を説明するフローチャートである。なお、この処理は電源投入時には常に実行される。
【００２４】デバイス１０が電子カメラ本体に挿入されると、まず、デバイス１０を除く電子カメラ本体に電源が投入される（ステップＳ３００）。そして、全体制御部１１はデバイス制御Ｉ／Ｆ部９を介して、６８ピンの内の所定の２つの状態を検出する。そしてこの状態によって、３．３ｖまたは５ｖのいずれかに供給電源電圧を決定し（決定方法は公知）、この決定された電源をデバイス１０に供給する（ステップＳ３０１）。
【００２５】次に、デバイス１０内に設けられているデバイス情報用ＲＯＭ（不図示）内のデータを読み出し、当該電子カメラによって使用可能なデバイスであるか否かを判定する。デバイス情報用ＲＯＭより読み出されるデータには、そのデバイスに関する情報が含まれており、例えば、デバイスの速度、種別、サイズ、インターフェース、電源、アクセス空間、ＩＲＱ、その他の項目がある。尚、この情報の形式は、ＰＣＭＣＩＡ規格で公知であるので詳細な説明は省略する。
【００２６】以上のようにしてデバイス情報ＲＯＭより得られる情報を元に、当該デバイスが本電子カメラで使用できるデバイスであるか否かを判断する。なお、この判断基準は電子カメラのハード／ソフトに依存している。すなわち、ハード面においては、そのデバイスの速度、サイズ、インターフェース、電源、アクセス空間、ＩＲＱ等の項目によりそのデバイスを動作させるために必要な環境を電子カメラが備えているか否かを判断する。また、ソフト面においては、そのデバイスの種別等の項目からそのデバイスを動作させるために必要なプログラムが電子カメラに存在するか否かを判断する（ステップＳ３０２）。
【００２７】そして、このハード／ソフト双方の判別により使用可能であると判断された場合には、表示部１５の緑ランプ２７を２回点滅させ（ＯＫ表示）、使用可能である旨を報知する（ステップＳ３０３）。一方、ステップＳ３０２で使用不可であると判断された場合には、表示部１５の赤ランプ２８を２秒間高速点滅させて（ＮＧ表示）、使用不可である旨を報知する（図５、ステップＳ３１３）。
【００２８】なお、デバイス１０が使用可能な記憶媒体であり、電源電圧が３．３ｖ／５ｖの両方で動作可能である場合には、デバイス１０の動作に先立ち本電子カメラが供給し得る、より高圧な電源電圧、即ち、５ｖを供給するものとする。
【００２９】次に、ステップＳ３０４において、ＥＥＰＲＯＭ８中に記録されている空き容量データをＤＲＡＭ７（あるいはＲＡＭ１２）に複写し、ＤＲＡＭ７中の空き容量データが有効であることを示すフラグ（有効フラグ）をセットする。尚、この有効フラグは蓋２５、あるいは本装置の電源である不図示のバッテリを覆う蓋の開閉に伴いリセットされる。新たにデバイス１０が装着された時点の処理においては、記憶媒体１０を覆う蓋２５の開閉が生じており、ＤＲＡＭ７中の空き容量データが有効であることを示す有効フラグがリセットされる。
【００３０】次に、フォーマット情報を装着された記憶媒体から読みだす。即ち、図３で説明した管理領域内の情報を読み出し、媒体制御に必要なデータをＤＲＡＭ７（あるいはＲＡＭ１２）に記憶すると共にデータの信頼性（フォーマット異常があるか否か）を検証する（この検証方法は規定しない）（ステップＳ３０５）。
【００３１】ここでもしフォーマット異常、あるいは媒体の故障等による異常（Ｒｅａｄエラー等）を検出した場合には、表示部１５のＬＣＤ表示器２６に媒体に関するエラーを表示し、媒体および電子カメラ本体の電源を落とす。そして、その媒体を本電子カメラより取り出すまではカメラとしての撮影動作を禁止する。更により安全には、媒体を電子カメラより取り出し蓋を閉めるまで撮影動作を禁止してもよい（ステップＳ３１１，Ｓ３１２）。
【００３２】一方、フォーマットチェックの結果、上記データに問題が無い場合には、上記データが有効であることを示すフラグ（媒体のマウント完了フラグ）をセットする（ステップＳ３０６）。そして、ＤＲＡＭ７中の空き容量データが有効であることを示す有効フラグがセットされているか判定し（ステップＳ３０７）、リセットされているときには、媒体の管理領域を検索し、空き容量を算出する（ステップＳ３０８）。空き容量はＦＡＴ領域の１つ１つのエントリを検索し、それぞれが未使用であるか否かを検出し、これを加算することにより知ることができる。そしてこの空き容量データをＤＲＡＭ７（あるいはＲＡＭ１２）に記憶する。さらにこのＤＲＡＭ７上の空き容量データが有効であることを示す有効フラグをセットする。なお、これらマウント完了フラグや有効フラグはＤＲＡＭ状に保持される。
【００３３】そして電子カメラ本体に挿入された記憶媒体が有効であることを表示装置に表示すると共に、その空き容量を表示部１５のＬＣＤ表示器２６に表示する（ステップＳ３０９）。こののち、ＤＲＡＭ７中の空き容量データをＥＥＰＲＯＭ８に複写し、媒体および電子カメラ本体の電源を落とす（ステップＳ３１０）。
【００３４】また、上記ステップＳ３０２において、デバイス１０が使用不可であると判断された場合には、ステップＳ３１３でＮＧ表示を行った後、フォーマット情報をＥＥＰＲＯＭ８から読みだす。即ち、ＥＥＰＲＯＭ８より、図３で示した管理領域内の情報を読みだし、媒体制御に必要なデータをＤＲＡＭ７（あるいはＲＡＭ１２）に記憶すると共にデータの信頼性（フォーマット異常があるか否か）を検証する（この検証方法は規定しない）（ステップＳ３１４）。
【００３５】ここでもしフォーマット異常、あるいはＥＥＰＲＯＭ８の故障等による異常（Ｒｅａｄエラー等）を検出した場合には、表示装置に媒体に関するエラーを表示し、電子カメラ本体の電源を落とす。そして、本電子カメラ中でそのＥＥＰＲＯＭ８のフォーマットを行うまでは、カメラとしての撮影動作を禁止する（ステップＳ３１９，３２０）。
【００３６】一方、上記データに問題が無い場合には、上記データが有効であることを示すフラグ（媒体のマウント完了フラグ）をセットする（ステップＳ３１５）。そして、その媒体の空き容量を検索する。空き容量はＦＡＴ領域の１つ１つのエントリを検索し、それぞれが未使用であるか否かを検出しこれを加算することにより知ることができる。そしてこの空き容量データをＤＲＡＭ７（あるいはＲＡＭ１２）に記憶するとともに、ＤＲＡＭ７上の空き容量データが有効であることを示すフラグ（空き容量検索済みフラグ）をセットする（ステップＳ３１６）。そして電子カメラ内の記憶媒体が有効であることを表示装置に表示すると共に、その空き容量を表示部１５のＬＣＤ表示器２６に表示する（ステップＳ３１７）。こののち、ＤＲＡＭ７中の空き容量データをＥＥＰＲＯＭ８に複写し、媒体および電子カメラ本体の電源を落とす（ステップＳ３１８）。
【００３７】尚、予め記憶媒体１０を電子カメラ本体に入れておき、バッテリを後から挿入しても上記動作と同様である。また、マウントは電源投入毎に行なうためマウント完了フラグをＥＥＰＲＯＭに複写する必要は無い。また、カメラ本体は、媒体装着時（または蓋閉じ）の割り込みにより常に有効フラグをクリアする、或いはバッテリ装着時に予め媒体が存在している場合には、同様に媒体装着（または蓋閉じ）の割り込みが発生し、常に有効フラグをクリアするように動作するため、有効フラグをＥＥＰＲＯＭに複写する必要も無い。」
（ｄ）「【００３８】次に、撮影時の動作について、図６のフローチャートに従って説明する。図６は本実施形態の電子カメラにおける撮影時処理を示すフローチャートである。
【００３９】全体制御部１１にレリーズスイッチ２１による撮像記録命令が指示されると、（もしくは、不図示の外部のコンピュータ等からの撮像記録命令コマンドが外部Ｉ／Ｆ部１４を介して入力されると）当該電子カメラ本体に電源が投入される（ステップＳ４００）。そしてＥＥＰＲＯＭ８中の空き容量データをＤＲＡＭ７（あるいはＲＡＭ１２）に複写し、ＤＲＡＭ７中の空き容量データが有効であることを示すフラグをセットする（ステップＳ４０１）。
【００４０】その後、全体制御部１１は、撮像記録動作を実行する。即ち、シャッタ２を駆動して露光を行い、撮像素子３からの画像信号の読み出しを行う（ステップＳ４０２）。この画像信号は第１信号処理回路４で色補正及び各種処理が成される（ステップＳ４０３）。この後、Ａ／Ｄ変換器５によりアナログ−ディジタル変換が成されてディジタル画像データとなり（ステップＳ４０４）、第２信号処理回路６を介してバッファメモリとしてのＤＲＡＭ７に一旦記憶される。この後、ＤＲＡＭ７に記憶された画像データは、第２信号処理部６で圧縮処理がなされたあと再びＤＲＡＭ７に記憶される（ステップＳ４０５）。
【００４１】ここで、Ａ／Ｄ変換器５によりアナログ−ディジタル変換が成された画像データは、第２信号処理回路６でリアルタイムに圧縮処理がなされたあと、ＤＲＡＭ７に記憶するようにしてもよい。また圧縮処理を行わない構成としてもよい。
【００４２】つぎに、画像データを外部記憶媒体１０（或いはＥＥＰＲＯＭ８）へ記録する。以下、外部記憶媒体１０への記録を行うものとして説明する。画像データの記録に際しては、媒体制御Ｉ／Ｆ部９を介して初めにディレクトリが生成される（ステップＳ４０６）。そして、ＤＲＡＭ７に一旦記憶された画像データを、所定サイズのブロックごとに記憶媒体１０に記録し、さらにディレクトリ中のファイルサイズ、日付も更新する（ステップＳ４０７）。
【００４３】尚、記録に際し、記録中のクラスタが不足した場合には、随時、記憶媒体１０のＦＡＴの値を判別し、使用されていないエントリをクラスタチェーンに追加して記録を継続する。また、これと同時に、ＤＲＡＭ７（もしくはＲＡＭ１２）上の上記空き容量データも更新していく。即ち、記憶媒体１０への記録に伴いＦＡＴのエントリを消費した分だけ空き容量データを減少していく。
【００４４】また、上記ブロックとは、画像データを分割して１回に圧縮する単位、あるいは１ライン分の画像データ、あるいは処理のためにＤＲＡＭ７中に確保したメモリの単位、その他等、各種処理のために分割した単位であり、その詳細はここでは限定しない。
【００４５】こうしてすべての画像データを記録すると（ステップＳ４０８）、ＤＲＡＭ７中の空き容量データをＥＥＰＲＯＭ８に複写したのち、媒体および電子カメラ本体の電源を落とす（ステップＳ４０９）。」
（ｅ）「【００５５】また、媒体の空き容量については、記憶媒体の装着時に一度調べてＥＥＰＲＯＭに記録しておくので、装置の電源を入れ直しても再び調べる必要がなくなる。このため、空き容量検出のための電力と時間を大幅に削減できる。」
　
　これらの記載事項及び図面の記載事項を総合勘案すると、引用例には、結局、次の発明（以下、「引用発明」という。）が記載されていると認められる。
「着脱可能なカード型デバイス（記憶媒体）（１０）が用いられ、その空き容量情報を得てＥＥＰＲＯＭ（８）に保持する電子カメラにおいて、電源が投入（ステップＳ３００、ステップＳ４００）されたときに、ＥＥＰＲＯＭ（８）に保持されている空き容量データをＤＲＡＭ（７）に複写するとともに、デバイス（記憶媒体）（１０）を覆う蓋（２５）の開閉が生じていなければ、ＤＲＡＭ（７）中の空き容量データが有効であることを示す有効フラグをセット、蓋（２５）の開閉が生じていれば、有効フラグをリセットする（ステップＳ３０４、ステップＳ４０１）ようにし、デバイス（記憶媒体）（１０）が挿入された時には、それにより電源が投入され（ステップＳ３００）、有効フラグがリセット状態であることが検出される（ステップＳ３０７）ことにより、そのデバイス（記憶媒体）（１０）の管理領域を検索してそのデバイス（記憶媒体）の空き容量を算出（ステップＳ３０８）してＤＲＡＭ（７）に記憶し、その空き容量データをＥＥＰＲＯＭ（８）に複写して電源を落とし（ステップＳ３１０）、レリーズスイッチ（２１）が押された時には、それにより電源が投入され（ステップＳ４００）、（※）有効フラグがセット状態であることが検出される（ステップＳ３０７）ことにより、上記空き容量の検索、算出の行程（ステップＳ３０８）を経ずに、ＥＥＰＲＯＭ（８）からＤＲＡＭ（７）に複写された空き容量データが用いられ、露光及び撮像素子の読み出し（ステップＳ４０２）、画像データのＤＲＡＭ（７）への記憶（ステップＳ４０５）、画像データのデバイス（記憶媒体）（１０）への記録（ステップＳ４０７）を行うようになされた電子カメラ。」
　
（※）なお、有効フラグの状態の検出（ステップＳ３０７）について、撮影時の処理（００３８〜００４５段落、図６）としての説明はないが、００２３段落に記載されるように、当該検出等の初期動作時の処理は、電源投入時に常に実行されるのであるから、撮影時の処理においても、電源投入がなされる以上、有効フラグの状態の検出は当然行われるべきものと認められ、引用例にはそのようなものが記載されていると認められる。
　
３．対比
　そこで、本願発明と引用発明とを対比すると、引用発明のものは、デバイス（記憶媒体）の挿入によって電源が投入されるのであるから、本願発明の「第１判別手段」に対応する手段を有していると認められる。
　引用発明のものは、デバイス（記憶媒体）の挿入時にデバイス（記憶媒体）の空き容量を検索、算出するのであるから、本願発明の「検出手段」に対応する手段を有していると認められる。
　引用発明における「ＤＲＡＭ（７）」及び「ＥＥＰＲＯＭ（８）」は、本願発明の「半導体メモリ」に対応するものであり、引用発明のものも、本願発明の「保存手段」に対応する手段を有していると認められる。
　引用発明のものは、レリーズスイッチの押下又はデバイス（記憶媒体）の挿入により電源が投入されたときに、空き容量値が所定の状態であるか否かの判別を行い、撮像記録動作は当該判別結果が肯定的であるときに行われるものと認められるから、引用発明における有効フラグのセット又はリセット状態（セットされているか否か）の検出手段は、本願発明の「第２判別手段」に対応するものと認められる。
　引用発明における「露光及び撮像素子」等の手段は、本願発明の「取り込み手段」に対応するものである。
　引用発明の「ＤＲＡＭ（７）」（画像データの記憶）及び「デバイス（記憶媒体）（１０）」は、本願発明の「内部メモリ」及び「ディスク記録媒体」にそれぞれ対応するものである。
　
　してみれば、本願発明と引用発明とは、次の点で一致する。
　
＜一致点＞
　「記録媒体が装着されたか否かを判別する第１判別手段、
　前記第１判別手段の判別結果が肯定的であるとき前記記録媒体の空き容量値を検出する検出手段、
　前記検出手段によって検出された空き容量値を半導体メモリに保存する保存手段、
　電源投入操作が行われたとき前記半導体メモリに保存された空き容量値が所定の状態であるか否かを判別する第２判別手段、
　前記第２判別手段の判別結果が肯定的であるとき取り込み操作に応答して所望信号を取り込む取り込み手段、
　前記取り込み手段によって取り込まれた所望信号を内部メモリに書き込む書き込み手段、および
　前記内部メモリに格納された所望信号を前記記録媒体に記録する記録手段を備える、記録装置。」
　
　一方、以下の各点で相違する。
（相違点１）
　記録媒体について、本願発明は「ディスク」であるのに対し、引用発明のものは具体的には「カード」である点。
（相違点２）
　第２判別手段について、本願発明は「空き容量値が閾値を上回るか否か」を判別するのに対し、引用発明は「空き容量データが有効であることを示す有効フラグがセットされているか否か」を判別する点。
　
４．当審の判断
（相違点１について）
　記録装置に着脱可能な記録媒体として、ディスク型のものは本願出願前に当業者にとって周知であるから、引用発明におけるカード型記録媒体に代えてディスク記録媒体とすることは、当業者が適宜なし得る程度のことと認められる。
　
（相違点２について）
　記録装置の技術分野において、シャッタボタンの操作を有効とするか無効とするかを決めるために、撮影可能枚数が１枚以上あるかどうか、すなわち、空き容量値が閾値を上回るか否かを判別することは、本願出願前に当業者が普通に採用していることであるから、引用発明における第２判別手段が、有効フラグの判別に代え、空き容量値が閾値を上回るか否かの判別を行うようにすることは、当業者が容易になし得ることと認められる。
　
５．むすび
　以上のとおり、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。